(57)【要約】【課題】電線がねじ止めされる端子板の変形を抑えることができる回路遮断器を提供する。【解決手段】電線をねじ止めによって接続する負荷端子板６１と、この負荷端子板６１を含む部品を収容する収容部本体４２とを備える。収容部本体４２は、負荷端子板６１の折曲げられた第４板部６１ｄが挿通される挿通部４２ｇと、この挿通部４２ｇに負荷端子板６１が挿通された状態で、負荷端子板６１と反挿通方向において係合する係合突起４２ｆとを有する。【選択図】図１４
2015197987.tif 000002
【特許請求の範囲】
【請求項１】
中性極用の導電バーと電圧極用の一対の導電バーとを備える単相３線用の分電盤に用いられる回路遮断器であって、
電線をねじ止めによって接続する端子板と、前記端子板を含む部品を収容する収容部本体とを備え、
前記収容部本体は、前記端子板の折曲げられた先端部が挿通される挿通部と、該挿通部に前記端子板が挿通された状態で、前記端子板と反挿通方向において係合する係合部とを有することを特徴とする回路遮断器。
【発明の詳細な説明】
【技術分野】
【０００１】
本発明は、回路遮断器に関するものである。
【背景技術】
【０００２】
従来、回路遮断器は分電盤等に取り付けられ、過電流等に基づいて負荷への給電を遮断する。このような回路遮断器の１つにプラグイン方式の回路遮断器がある。この回路遮断器は電源側接続端子と負荷側接続端子とを有し、電源側接続端子が、例えば分電盤に配設された複数の導電バーに対して接離される（例えば、特許文献１参照）。このようなプラグイン方式の回路遮断器は、分電盤等に対する増設や取り外しが容易であるという点で施工性に優れている。
【０００３】
ところで、例えば一般家庭において、単相３線式の電路が敷設される場合がある。このような場合、分電盤等には、単相３線式の電路に対応する３極の分岐ブレーカが取着される。
【先行技術文献】
【特許文献】
【０００４】
【特許文献１】特開２００９−２８９４８４号公報
【発明の概要】
【発明が解決しようとする課題】
【０００５】
ところで、上記のような回路遮断器では、外部に露出する端子板を有し、この端子板に施工時に電線をねじ止め固定している。ここで、電線がねじ止め固定された状態で、電線が引っ張られたりすることで端子板に負荷がかかり、その負荷によって端子板が変形する虞があった。
【０００６】
本発明は、上記課題を解決するためになされたものであって、その目的は、電線がねじ止めされる端子板の変形を抑えることができる回路遮断器を提供することにある。
【課題を解決するための手段】
【０００７】
上記課題を解決するために、回路遮断器は、中性極用の導電バーと電圧極用の一対の導電バーとを備える単相３線用の分電盤に用いられる回路遮断器であって、電線をねじ止めによって接続する端子板と、前記端子板を含む部品を収容する収容部本体とを備え、前記収容部本体は、前記端子板の折曲げられた先端部が挿通される挿通部と、該挿通部に前記端子板が挿通された状態で、前記端子板と反挿通方向において係合する係合部とを有する。
【発明の効果】
【０００８】
本発明の回路遮断器によれば、電線がねじ止めされる端子板の変形を抑えることができる。
【図面の簡単な説明】
【０００９】
【図１】実施形態における分電盤の斜視図である。
【図２】同上におけるハウジングカバーを外した状態の分電盤の一部を示す正面図である。
【図３】同上における分岐ブレーカ取付台の一部断面斜視図である。
【図４】同上における分岐ブレーカの斜視図である。
【図５】同上における分岐ブレーカの正面図である。
【図６】同上における分岐ブレーカの側面図である。
【図７】同上における分岐ブレーカの背面図である。
【図８】同上における分岐ブレーカの一部断面図である。
【図９】同上における分岐ブレーカの分解斜視図である。
【図１０】同上におけるプラグインカバーとプラグイン端子の関係を示す説明図である。
【図１１】同上における収容部本体と収容部カバーに対するプラグイン端子を示す斜視図である。
【図１２】同上におけるベースの斜視図である。
【図１３】同上における分岐ブレーカの一部断面図である。
【図１４】同上における負荷端子板と収容部本体との取り付け状態を説明するための斜視図である。
【図１５】同上における負荷端子板の斜視図である。
【発明を実施するための形態】
【００１０】
以下、一実施形態を説明する。
先ず、分電盤について説明する。
図１に示すように、分電盤１０は、収容空間を有するハウジング１１を有し、このハウジング１１は、たとえば住宅の壁面に取着される。なお、以下の説明において、分電盤１０を住宅の壁面に取り付けを行った際の鉛直方向を分電盤の上下方向、壁面と直交する方向を分電盤１０の前後方向、上下方向及び前後方向と直交する方向を分電盤１０の左右方向として説明を行う。また、一部の図においては矢印付きで各方向を示している。
【００１１】
ハウジング１１は、矩形状のハウジングベース１２と、ハウジングベース１２の開口部を覆うハウジングカバー１３とを有する。ハウジングカバー１３にはそのハウジングカバー１３の前面を覆うドア１４が開閉（回動）可能に取着されている。ハウジング１１には主幹ブレーカ３１、分岐ブレーカ３２，４０が収容されている。
【００１２】
分岐ブレーカ３２は、たとえば照明器具や給湯設備等の機器、差込接続装置のコンセント（アウトレット）や壁スイッチ等の配線器具が負荷に対応するものである。分岐ブレーカ４０は、分岐ブレーカ３２より高い定格電流の負荷に対応したものである。
【００１３】
図２に示すように、ハウジングベース１２には分岐ブレーカ取付台２０が取着されている。分岐ブレーカ３２，４０は分岐ブレーカ取付台２０に取り付けられている。
図３に示すように、分岐ブレーカ取付台２０は、底板２１と、分岐ブレーカ３２を後方から支持する支持部材２２と、分岐ブレーカ３２の前方側を係止する結束部材２３とを有している。底板２１は板金（鉄板）よりなり、図２に示すハウジングベース１２に固定される。支持部材２２は合成樹脂成形品である。
【００１４】
図３に示すように、分岐ブレーカ取付台２０は、底板２１と、支持部材２２と、結束部材２３とを有している。底板２１は板金（鉄板）よりなり、図２に示すハウジングベース１２に固定される。支持部材２２は底板２１に取着され、分岐ブレーカ３２を支持する。結束部材２３は、分岐ブレーカ３２を係止する。なお、図３では示されていないが、図２に示す分岐ブレーカ４０は、分岐ブレーカ３２と同様に、支持部材２２により支持され、結束部材２３により係止される。
【００１５】
本実施形態の分電盤１０の配線方式として単相３線式を想定しており、支持部材２２には３つの導電バー２４，２５，２６が固定されている。導電バー２４は、図１に示す主幹ブレーカ３１の中性極（Ｎ相）に接続される中性バーである。導電バー２５は主幹ブレーカ３１の第１の電圧極（Ｌ１相）に接続される電極バーである。導電バー２６は主幹ブレーカ３１の第２の電圧極（Ｌ２相）に接続される電極バーである。
【００１６】
導電バー２４は導電材料により細長の板状に形成され、支持部材２２の支持ポスト２２ａ上端に固定されている。導電バー２５，２６は導電材料により形成され、細長の板状に形成され、支持部材２２に固定されている。導電バー２５，２６にはそれぞれ複数の接続端子２５ａ，２６ａが一体に形成されている。各接続端子２５ａ，２６ａは、導電バー２４の長手方向（図３において左右方向）に沿って所定の間隔（分岐ブレーカ３２の配列間隔）にて突出するように形成されている。また、各接続端子２５ａ，２６ａは、それぞれ前後方向に沿って配列される。なお、図３では、下側に向かって突出する接続端子２５ａ，２６ａが示されているが、導電バー２５，２６には上側に向かって突出する接続端子が一体に形成されている。
【００１７】
支持部材２２の前面には、前方に突出する複数の支持片２７が左右方向に等ピッチで形成されている。また、支持部材２２の前面には、前方に突出するとともに先端部が下方に向かって延設された逆Ｌ字状の保持片２８が左右方向に等ピッチで形成されている。なお、支持部材２２の上部には、支持ポスト２２ａを対称軸として支持片２７と保持片２８が同様に形成されている。これら支持片２７及び保持片２８の配列ピッチは、分岐ブレーカ３２の形状（左右方向の幅）に応じて設定されている。
【００１８】
支持片２７は、分岐ブレーカ３２の側面に当接し、その分岐ブレーカ３２の幅方向（図３において左右方向）の移動を規制する。保持片２８は、分岐ブレーカ３２の側面に形成された保持溝３２ａに引掛係止して当該分岐ブレーカ３２が差込方向（図３において上下方向）と直交する方向への移動を規制する。
【００１９】
次に、上記の分電盤に装着される分岐ブレーカ４０について説明する。
図４〜図８に示すように、分岐ブレーカ４０は、概略矩形箱状をなす筐体４１を有している。この筐体４１は、収容部本体４２と、収容部カバー４３と、プラグインカバー４４を有している。
【００２０】
収容部本体４２は、合成樹脂材料によって、前面が開口し略矩形箱状に形成されている。収容部カバー４３は、合成樹脂材料によって、後面が開口し略矩形箱状に形成され、収容部本体４２前面の開口を塞ぐよう取着される。そして、収容部本体４２と収容部カバー４３により形成される収容空間に、接点装置等の回路遮断器を構成する部品が収容されている。
【００２１】
図７に示すように、プラグインカバー４４は、収容部本体４２の上面４２ａ及び収容部カバー４３の上面４３ａを覆うように形成されている。収容部カバー４３は、収容部本体４２に対してねじ１０１により固定される。さらに、プラグインカバー４４と収容部カバー４３は、収容部本体４２に対してねじ１０２により固定される。
【００２２】
図９に示すように、収容部本体４２は、その上面から上方に向かって突出する係止部４２ｂを有している。そして、プラグインカバー４４には、係止凹部４４ａが形成されている。収容部本体４２の係止部４２ｂとプラグインカバー４４の係止凹部４４ａにより、プラグインカバー４４は、収容部本体４２の上面を覆う位置に固定される。
【００２３】
図７に示すように、プラグインカバー４４には、上記の導電バー２４及び接続端子２５ａ，２６ａ（図３参照）に応じた３つの差込溝５１ａ，５１ｂ，５１ｃが凹設されている。そして、プラグインカバー４４には、各差込溝５１ａ，５１ｂ，５１ｃのそれぞれにプラグイン端子５２ａ，５２ｂ，５２ｃが収容されている。
【００２４】
図１０に示すように、プラグインカバー４４の差込溝５１ａに対して左右方向（分岐ブレーカ４０の幅方向）の中央に収容部５３ａが形成され、その収容部５３ａにプラグイン端子５２ａが配設されている。また、差込溝５１ｂに対して右端側に収容部５３ｂが形成され、その収容部５３ｂにプラグイン端子５２ｂが収容されている。さらに、差込溝５１ｃに対して左端側に収容部５３ｃが形成され、その収容部５３ｃにプラグイン端子５２ｃが収容されている。各プラグイン端子５２ａ〜５２ｃは、収容部５３ａ〜５３ｃによって左右方向と前後方向の移動が規制されている。
【００２５】
そして、図１１に示すように、このプラグインカバー４４（一点鎖線にて示す）は、収容部本体４２の上面４２ａと、収容部カバー４３の上面４３ａを覆うように取着される。
図１１に示すように、収容部本体４２の上面４２ａには、各プラグイン端子５２ａ〜５２ｃに接続される配線（図示略）を収容部本体４２内に引き込むための切り欠き４２ｅが形成されている。
【００２６】
そして、収容部カバー４３には、その左右方向中央から収容部本体４２に向かって突出する係止部４３ｂが一体に形成されている。そして、係止部４３ｂの上面、つまり収容部カバー４３の上面４３ａは、収容部本体４２の上面４２ａと面一となるように形成されている。
【００２７】
したがって、プラグイン端子５２ａは、プラグインカバー４４と収容部カバー４３（係止部４３ｂ）との間に挟み込まれる。そして、プラグイン端子５２ａは、プラグインカバー４４と収容部カバー４３（係止部４３ｂ）とにより上下方向に位置決めされる。また、プラグイン端子５２ｂ，５２ｃは、プラグインカバー４４と収容部本体４２（上面４２ａ）との間に挟み込まれる。したがって、プラグイン端子５２ｂ，５２ｃは、プラグインカバー４４と収容部本体４２とにより上下方向に位置決めされる。
【００２８】
図５に示すように、収容部本体４２には、３つの負荷端子板６１が設けられている。
図１５に示すように、負荷端子板６１は、板状部材を複数回屈曲させた形状をなしている。具体的には、負荷端子板６１は、第１板部６１ａと、第２板部６１ｂと、第３板部６１ｃと、第３板部６１ｃから直交する方向に延出する第４板部６１ｄとを有する。
【００２９】
図８、図１４及び図１５に示すように第１板部６１ａは、可動接触子１１０に取着される可動接点１１１と当接する固定接点取付部１２１と、収容部本体４２に対してその収容部本体４２の背面４２ｃからねじ１０３が挿通される挿通部１２２とを有する。ちなみに、図１３では、負荷端子板６１の１つを取り外した状態と、負荷端子板６１から電線取り付け用の取付ねじ６２を外した状態と、負荷端子板６１に電線取り付け用の取付ねじ６２を螺入させた状態の３パターンを示している。
【００３０】
図１５に示すように、第１板部６１ａには、その端部において第１板部６１ａの板面から該板面と交差する方向に延出するように第２板部６１ｂが形成される。また、第２板部６１ｂには、前記第１板部６１ａとは反対側の端部において第２板部６１ｂの板面から該板面と直交する方向に延出するように第３板部６１ｃが形成される。
【００３１】
図８、図１４及び図１５に示すように、第３板部６１ｃは、取付ねじ６２が挿通（螺入）可能な挿通部１２３を有する。このため、挿通部１２３及び電線に取付ねじ６２を挿通して螺入することで、電線を負荷端子板６１に接続可能となっている。また、第３板部６１ｃの下部には前記挿通部１２３と対応する位置に、収容部本体４２のナット収容部４２ｎに嵌入される四角ナットＮａが設けられる。なお、ナット収容部４２ｎは、有底四角筒状の凹部であり、前記取付ねじ６２の螺入する際の回転方向において四角ナットＮａを回転（自転）不能に収容しているため、前記取付ねじ６２側を回転させるだけで、取付ねじ６２を螺入させることができる。なお、図５に示すように、収容部カバー４３の下端には凹部４３ｄが形成され、その凹部４３ｄにより、負荷端子板６１に螺入された取付ねじ６２がドライバ等の工具によって操作可能である。また、収容部本体４２と収容部カバー４３とに、図４に示すように端子カバー４６が取着され、取付ねじ６２や負荷端子板６１に対する直接的な接触が防止される。
【００３２】
図１４及び図１５に示すように、第３板部６１ｃには、その前記第２板部６１ｂとは反対側の端部において第３板部６１ｃの板面から該板面と直交する方向に延出するように第４板部６１ｄが形成される。第４板部６１ｄは、前記第２板部６１ｂと略平行となるように形成される。また、第４板部６１ｄ第２板部６１ｂは、第３板部６１ｃを基準とした場合に、同方向に延出するように形成される。このため、第１板部６１ａと第２板部６１ｂと第３板部６１ｃとでＵ字状をなすように形成されることとなる。第４板部６１ｄは、収容部本体４２のプラグインカバー４４とは反対側において形成される挿通部４２ｇに挿通される。このとき、第４板部６１ｄと第３板部６１ｃとの間の境界部に形成された係合孔１２４と収容部本体４２の下面において上方向（上面４２ａ側）に突出する係合突起４２ｆとが係合されるようになっている。
【００３３】
そして、収容部本体４２の背面４２ｃには、ベース４５がねじ１０４によって収容部本体４２に固定されている。ベース４５は合成樹脂材料よりなる。これにより、負荷端子板６１を固定するねじ１０３は、図６に示すように、ベース４５により覆われ、収容部本体４２の背面に対して露出しない。
【００３４】
図７に示すように、収容部本体４２の側面４２ｄには、図３に示す保持片２８が挿入される挿入溝７１が形成されている。
また、図１３に示すように、収容部本体４２には、保持片２８が挿入される挿入溝７２，７３（挿入溝７３については図６参照）が形成されている。この挿入溝７２，７３は、図３に示す支持片２７も挿入可能に形成されている。
【００３５】
図１２に示すように、ベース４５には、図１３に示す収容部本体４２の挿入溝７１に対応する切り欠き部８１が形成されている。また、ベース４５には、２つのスリット８２，８３が形成されている。これらのスリット８２，８３は、図６に示す収容部本体４２の挿入溝７２，７３に対応する位置に形成されている。つまり、これらのスリット８２，８３は、図３に示す支持片２７と保持片２８が挿通可能に形成されている。
【００３６】
そして、図７に示すように、ベース４５の基部４５ａは、ベース４５の裏面側において、挿入溝７１の一部（ベース４５の下端側）を覆うように形成されている。これにより、収容部本体４２の挿入溝７１とベース４５は、保持片２８に対応する逆Ｌ字状の保持溝９１を形成する。同様に、図１３に示す挿入溝７２（７３）は、ベース４５とにより、保持片２８に対応する保持溝９２（９３）を形成する。したがって、分岐ブレーカ取付台２０に形成された３つの保持片は、保持溝９１，９２，９３に引掛係止して当該分岐ブレーカ４０が差込方向（たとえば図４において上下方向）と直交する方向への移動を規制する。
【００３７】
次に、上記の分岐ブレーカ４０の作用を説明する。
図１０に示すように、差込溝５１ａに対応するプラグイン端子５２ａは分岐ブレーカ４０の中央（幅方向（左右方向）中央）に配設されている。このプラグイン端子５２ａは、プラグインカバー４４と収容部カバー４３とに挟み込まれ、位置決めされている。差込溝５１ｂ，５１ｃに対応するプラグイン端子５２ｂ，５２ｃは分岐ブレーカ４０の両端部に配設されている。図１１に示すように、これらのプラグイン端子５２ｂ，５２ｃは、プラグインカバー４４と収容部本体４２とに挟み込まれ、位置決めされている。したがって、この分岐ブレーカ４０は、３極のプラグイン端子５２ａ〜５２ｃを、プラグインカバー４４と収容部カバー４３と収容部本体４２の３つの部品により保持と位置決めする。
【００３８】
このため、分岐ブレーカ４０を分岐ブレーカ取付台２０に取着する際に、プラグイン端子５２ａに導電バー２４が確実に差し込まれ、プラグイン端子５２ｂ，５２ｃに接続端子２５ａ，２６ａが確実に差し込まれる。これにより、接続信頼性が確保される。
【００３９】
プラグイン端子５２ａは、収容部カバー４３に形成された係止部４３ｂに当接されている。係止部４３ｂは、矩形箱状に形成された収容部カバー４３の側壁に近いため、プラグイン端子５２ａが当接する部分は撓み難い。したがって、分岐ブレーカ４０のプラグイン時に、挿入に係る力によってこれらのプラグイン端子５２ａに対して導電バー２４を容易に差し込むことができる。同様に、プラグイン端子５２ｂ，５２ｃは、収容部本体４２の上面４２ａにおいて、分岐ブレーカ４０の幅方向における端部に配置されている。この端部は、矩形箱状に形成された収容部本体４２の側壁に近いため、プラグイン端子５２ｂ，５２ｃが当接する部分は撓み難い。したがって、分岐ブレーカ４０のプラグイン時に、挿入に係る力によってこれらのプラグイン端子５２ｂ，５２ｃに対して接続端子２５ａ，２６ａを容易に差し込むことができる。
【００４０】
収容部本体４２とベース４５とは、３つの保持溝９１，９２，９３を形成し、これらの保持溝９１，９２，９３にそれぞれ分岐ブレーカ取付台２０の保持片２８と引掛係止して当該分岐ブレーカ４０が差込方向と直交する方向への移動を規制する。したがって、分岐ブレーカ４０に対して接続された容量の大きな配線による応力による分岐ブレーカ４０の脱落が起こり難い。
【００４１】
また、電線が接続される負荷端子板６１は、先端部である第４板部６１ｄが収容部本体４２の挿通部４２ｇに挿通される。さらに、第４板部６１ｄと第３板部６１ｃとの境界部に形成された係合孔１２４が係合突起４２ｆと係合（嵌合）する。これらによって、負荷端子板６１のがたつきの起こり難い。
【００４２】
以上記述したように、本実施形態によれば、以下の効果を奏する。
（１）負荷端子板６１を収容する収容部本体４２は、負荷端子板６１の折曲げられた第４板部６１ｄが挿通される挿通部４２ｇと、挿通部４２ｇに第４板部６１ｄが挿通された状態で負荷端子板６１と反挿通方向において係合する係合突起４２ｆとを有する。このため、第４板部６１ｄが挿通部４２ｇに挿通されることで、第４板部６１ｄを省略又は第３板部６１ｃと同方向に延ばした形状として、収容部本体４２に挿通しなかった場合と比較して負荷端子板６１の変形が抑えられる。さらに、第４板部６１ｄと第３板部６１ｃとの境界部に形成された係合孔１２４が係合突起４２ｆと係合するため、負荷端子板６１のがたつきを抑えて負荷端子板６１の変形をより抑えることができる。
【００４３】
なお、上記各実施形態は、以下の態様で実施してもよい。
・上記実施形態に対し、３つのプラグイン端子５２ａ〜５２ｃの配置位置を適宜変更してもよい。
【００４４】
・上記実施形態では、３つのプラグイン端子５２ａ〜５２ｃを備えたが、２極または４極以上、つまり２つまたは４つ以上プラグイン端子を備えた回路遮断器としてもよい。
・上記実施形態並びに上記変形例は適宜組み合わせてもよい。
【符号の説明】
【００４５】
１０…分電盤、２４，２５，２６…導電バー、４２…収容部本体、４２ｇ…挿通部、４２ｆ…係合突起（係合部）、４３…収容部カバー、４４…プラグインカバー、４５…ベース、５１ａ〜５１ｃ…差込溝、５２ａ〜５２ｃ…プラグイン端子、６１…負荷端子板（端子板）６１ｄ…第４板部（先端部）。
【図１】
2015197987.tif 000003
【図２】
2015197987.tif 000004
【図３】
2015197987.tif 000005
【図４】
2015197987.tif 000006
【図５】
2015197987.tif 000007
【図６】
2015197987.tif 000008
【図７】
2015197987.tif 000009
【図８】
2015197987.tif 000010
【図９】
2015197987.tif 000011
【図１０】
2015197987.tif 000012
【図１１】
2015197987.tif 000013
【図１２】
2015197987.tif 000014
【図１３】
2015197987.tif 000015
【図１４】
2015197987.tif 000016
【図１５】
2015197987.tif 000017